【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
入力領域内に入力された位置に関する情報を取得する取得手段と、
前記取得手段により、一続きに入力された１以上の位置に関する情報が取得されたことに応じて、前記一続きの位置に関する情報が満たした条件に対応する操作が入力されたことを認識する認識手段と、
前記認識手段によってＮ回連続して同一の操作が認識されたことに基づいて、Ｎ回連続して認識されたのと同一の操作に対応する条件を、前記認識手段によるＮ＋１回目の認識では、前記認識手段によるＮ回目の認識よりも満たされ易い条件とする制御を行う制御手段（ただしＮは２以上の自然数のうち所定の値）と、を備えることを特徴とする情報処理装置。
【請求項２】
前記制御手段は、前記認識手段が所定時間より短い間隔で前記情報処理装置に繰り返し入力される操作を認識する場合に、Ｎ回連続して認識されたのと同一の種別の操作に対応する条件を、前記認識手段によるＮ＋１回目の認識では、Ｎ回目の認識処理に用いられた条件よりも満たされ易い条件に設定する制御を行うことを特徴とする請求項１に記載の情報処理装置。
【請求項３】
前記認識手段は、保持手段に保持された複数種別の操作のそれぞれに対応する条件のうち、前記一続きに入力された１以上の位置に関する情報が満たした条件に対応する操作を、前記情報処理装置に入力された操作として認識することを特徴とする請求項１又は２に記載の情報処理装置。
【請求項４】
前記複数種別の操作には、少なくともフリック操作を含み、
前記フリック操作に対応する条件とは、前記一続きに入力された１以上の位置に関する情報の少なくとも一部を使って特定される前記入力された位置の単位時間あたりの移動量が所定の基準値を超えるという条件であることを特徴とする請求項３に記載の情報処理装置。
【請求項５】
前記入力領域内に一続きに入力された１以上の位置に関する情報とは、ユーザが指で前記入力領域に対応するタッチパネルをタッチしてから離すまでの間に所定の周期毎に検出される１以上のタッチ位置に関する情報であり、
前記認識手段は、前記ユーザが前記タッチパネルから前記指を離したことに応じて、前記情報処理装置に入力された操作を特定することを特徴とする請求項１乃至４のいずれか１項に記載の情報処理装置。
【請求項６】
更に、前記認識手段によって認識された操作が、Ｎ回連続して同一の操作だったかを判定する判定手段を備え、
前記制御手段は、前記判定手段によってＮ回連続して同一の操作だったと判定された場合、前記認識手段が次に行う認識処理において用いるＮ回連続して認識されたのと同一の種別の操作に対応する条件を、前記認識手段によるＮ回目の処理に用いられた条件よりも満たされ易い条件に設定する制御を行うことを特徴とする請求項２に記載の情報処理装置。
【請求項７】
前記判定手段は、前記制御手段は、前記判定手段によってＮ回連続して同一の操作だった場合、Ｎ回連続して入力された操作と同じ種別の操作が繰り返されやすい状況にあると判定し、
前記制御手段は、Ｎ回連続して入力された操作と同じ種別の操作が繰り返されやすい状況にあると判定された場合、前記認識手段が次に行う認識処理において用いるＮ回連続して認識されたのと同一の種別の操作に対応する条件を、前記認識手段によるＮ回目の処理に用いられた条件よりも満たされ易い条件に設定する制御を行うことを特徴とする請求項２に記載の情報処理装置。
【請求項８】
情報処理装置の制御方法であって、
取得手段により、入力領域内に入力された位置に関する情報を取得する取得工程と、
一続きに入力された１以上の位置に関する情報が取得されたことに応じて、認識手段により、前記一続きの位置に関する情報が満たした条件に対応する操作が入力されたことを認識する認識工程と、
制御手段により、Ｎ回連続して同一の操作が認識されたことに基づいて、Ｎ回連続して認識されたのと同一の操作に対応する条件を、Ｎ＋１回目の認識では、Ｎ回目の認識よりも満たされ易い条件とする制御を行う制御工程（ただしＮは２以上の自然数のうち所定の値）と、を備えることを特徴とする情報処理装置の制御方法。
【請求項９】
コンピュータに読み込ませ実行させることで、前記コンピュータを請求項１乃至７のいずれか１項に記載された情報処理装置の各手段として動作させるためのプログラム。
【請求項１０】
請求項９のプログラムを記憶したコンピュータが読み取り可能な記憶媒体。
【請求項１１】
入力された操作の種別に応じた処理を実行する情報処理装置であって、
入力された位置に関する情報と、直前に入力された操作に関する情報とに基づいて、前記直前に入力された操作と同じ種別の操作が繰り返されやすい状況にあるか否かを判定する判定手段と、
前記入力された位置に関する情報により、予め設定された所定の条件が満たされたことに応じて、前記情報処理装置に入力された操作を特定する特定手段と、
前記判定手段により、前記直前に入力された操作と同じ種別の操作が繰り返されやすい状況にあると判定された場合には、前記特定手段が、前記入力された操作が前記直前に入力された操作と同じ種別の操作であると特定するための条件を、前記所定の条件よりも満たされやすい条件に設定する設定手段と、
を備えることを特徴とする情報処理装置。
【請求項１２】
前記所定の条件とは、前記入力された位置に関する情報に基づいて取得される値が、前記操作の種別毎に設定された所定の基準値を超えるという条件であって、
前記設定手段は、
前記判定手段により、前記直前に入力された操作と同じ種別の操作が繰り返されやすい状況にあると判定された場合、前記入力された位置に関する情報に基づいて取得される値が、前記所定の基準値よりも低い基準値を超えるという条件を、前記入力された操作が前記直前に入力された操作と同じ種別の操作であると特定されるための条件として設定する
ことを特徴とする請求項１１に記載の情報処理装置。
【請求項１３】
前記判定手段は、前記直前に入力された操作の種別が特定されてから所定の時間の間に、前記入力された位置に関する情報が検出された場合に、前記直前に入力された操作と同じ種別の操作が繰り返されやすい状況にあると判定する
ことを特徴とする請求項１１又は１２に記載の情報処理装置。
【請求項１４】
前記入力された位置に関する情報には、入力された位置を表す座標が含まれることを特徴とする請求項１１乃至１３のいずれか１項に記載の情報処理装置。
【請求項１５】
前記判定手段は、前記直前に入力された操作の種別が特定されてから初めて検出された位置の座標が、特定の領域に含まれる位置を表す座標である場合に、前記直前に入力された操作と同じ種別の操作が繰り返されやすい状況にあると判定する
ことを特徴とする請求項１４に記載の情報処理装置。
【請求項１６】
前記特定の領域には、前記直前に入力された操作の入力が開始された時に検出された位置の座標が含まれる
ことを特徴とする請求項１５に記載の情報処理装置。
【請求項１７】
前記入力された位置に関する情報として、入力領域上のユーザによってタッチされたタッチ位置の情報を検出する検出手段を更に備え、
前記判定手段は、前記直前に入力された操作の種別が特定されてから初めて前記検出手段が検出したタッチ位置が、前記入力領域の一部の領域である特定の領域がタッチされたことを表すタッチ位置である場合、前記直前に入力された操作と同じ種別の操作が繰り返されやすい状況にあると判定することを特徴とする請求項１１乃至１６のいずれか１項に記載の情報処理装置。
【請求項１８】
前記直前に入力された操作がマルチタッチ操作であった場合には、
前記特定の領域は、前記直前に入力されたマルチタッチ操作の入力が開始された時に前記検出手段が検出した複数のタッチ位置をそれぞれ含む複数の領域である
ことを特徴とする請求項１７に記載の情報処理装置。
【請求項１９】
前記判定手段は、前記直前に入力された操作がマルチタッチ操作であった場合には、
前記特定の領域である複数の領域のそれぞれが、前記直前に入力されたマルチタッチ操作の種別が特定されてから初めて前記検出手段が検出した複数のタッチ位置の少なくともいずれか１つを含む場合に、前記直前に入力された操作と同じ種別の操作が繰り返されやすい状況にあると判定する
ことを特徴とする請求項１８に記載の情報処理装置。
【請求項２０】
前記判定手段は、前記直前に入力された操作がフリック操作であった場合には、
前記入力された位置に関する情報に基づいて判定される入力方向が、前記直前に入力されたフリック操作の方向と同じ方向である場合に、前記直前に入力された操作と同じ種別の操作が繰り返されやすい状況にあると判定することを特徴とする請求項１７乃至１９のいずれか１項に記載の情報処理装置。
【請求項２１】
前記特定手段は、さらに前記直前に入力された操作と同じ種別の操作が繰り返された回数に対応する条件が満たされることに応じて、前記入力された操作が、前記直前に入力された操作と同じ種別の操作であると特定することを特徴とする請求項１１乃至２０のいずれか１項に記載の情報処理装置。
【請求項２２】
前記判定手段により、直前に入力された操作と同じ種別の操作が繰り返されやすい状況にあると判定される場合には、前記直前に入力された操作と同じ種別の操作が繰り返された回数に対応する条件で、前記特定手段によって特定された操作に対応する処理を出力装置に実行させる出力制御手段を更に備えることを特徴とする請求項１１乃至２１のいずれか１項に記載の情報処理装置。
【請求項２３】
入力された操作の種別に応じた処理を実行する情報処理装置の制御方法であって、
判定手段により、入力された位置に関する情報と直前に入力された操作に関する情報とに基づいて、前記直前に入力された操作と同じ種別の操作が繰り返されやすい状況にあると判定する判定工程と、
特定手段により、前記入力された位置に関する情報により予め設定された所定の条件が満たされたことに応じて、前記情報処理装置に入力された操作を特定する特定工程と、
設定手段により、前記判定工程において前記直前に入力された操作と同じ種別の操作が繰り返されやすい状況にあると判定された場合には、前記特定手段が、前記入力された操作が前記直前に入力された操作と同じ種別の操作であると特定するための条件を、前記所定の条件よりも満たされやすい条件に設定する設定工程と
を有することを特徴とする情報処理装置の制御方法。
【請求項２４】
コンピュータに読み込ませ実行させることで、前記コンピュータを請求項１１乃至２２のいずれか１項に記載された情報処理装置の各手段として動作させるためのプログラム。
【請求項２５】
請求項２４のプログラムを記憶したコンピュータが読み取り可能な記憶媒体。
【手続補正２】
【補正対象書類名】明細書
【補正対象項目名】０００５
【補正方法】変更
【補正の内容】
【０００５】
上記目的を達成するため、本発明は、入力領域内に入力された位置に関する情報を取得する取得手段と、前記取得手段により、一続きに入力された１以上の位置に関する情報が取得されたことに応じて、前記一続きの位置に関する情報が満たした条件に対応する操作が入力されたことを認識する認識手段と、前記認識手段によってＮ回連続して同一の操作が認識されたことに基づいて、Ｎ回連続して認識されたのと同一の操作に対応する条件を、前記認識手段によるＮ＋１回目の認識では、前記認識手段によるＮ回目の認識よりも満たされ易い条件とする制御を行う制御手段（ただしＮは２以上の自然数のうち所定の値）と、を備えることを特徴とする。